(57)【要約】【課題】着雪による受信電波の減衰や電波の受信不能状態を未然に防止し、イニシャルコストおよびランニングコストを大幅に削減したパラボラアンテナ用着雪着水防止カバーを提供する。【解決手段】パラボラアンテナの反射板１０に装着して用いられるパラボラアンテナ用着雪着水防止カバー１００であって、周縁部が反射板１０の外縁を跨いで反射板１０の裏面側に折り返された状態で、反射板１０の反射面１２の前方を覆って反射板１０に装着可能なカバー体１１０と、カバー体１１０の、反射面側となる裏面１４に、カバー体１１０が反射板１０に装着された状態において、カバー体１１０の上下方向に伸びるようにして取り付けられた複数本のガイド体１２０とを有する。【選択図】図１
2012070273.tif 000002
【特許請求の範囲】
【請求項１】
パラボラアンテナの反射板に装着して用いられるパラボラアンテナ用着雪着水防止カバーであって、
周縁部が反射板の外縁を跨いで反射板の裏面側に折り返された状態で、反射板の反射面の前方を覆って反射板に装着可能なカバー体と、
該カバー体の、前記反射面側となる裏面に、前記カバー体が前記反射板に装着された状態において、前記カバー体の上下方向に伸びるようにして取り付けられた複数本のガイド体と、
を有することを特徴とするパラボラアンテナ用着雪着水防止カバー。
【請求項２】
前記カバー体が前記反射板に装着された状態を正面視した際において、前記ガイド体が左右対称となる配列で前記カバー体に装着されていることを特徴とする請求項１記載のパラボラアンテナ用着雪着水防止カバー。
【請求項３】
前記ガイド体は、前記カバー体の裏面に形成された袋体の中に、遊動自在に収容されていることを特徴とする請求項１または２記載のパラボラアンテナ用着雪着水防止カバー。
【請求項４】
前記ガイド体の幅寸法と前記袋体の内部空間における幅寸法の比率は１：３〜１：７であることを特徴とする請求項３記載のパラボラアンテナ用着雪着水防止カバー。
【発明の詳細な説明】
【技術分野】
【０００１】
本発明はパラボラアンテナ用着雪着水防止カバーに関する。
【背景技術】
【０００２】
衛星通信あるいは放送衛星からの電波を受信するためには、通常、パラボラアンテナ装置が用られる。このようなパラボラアンテナ装置は、仰角が約３０°〜６５°方向の上空位置を飛行する通信衛星あるいは放送衛星からの電波を受信するために、反射板が上向きとなるようにした状態で設置される。このため、降雪地帯においてパラボラアンテナ装置を使用する場合には、パラボラアンテナ装置の反射板に着雪や積雪が生じることになる。これら着雪や積雪により反射面の屈折率が変化し、反射面から反射されたアンテナビーム方向がずれてしまうことがある。アンテナビーム方向がずれると、電波信号が減衰し、受信電波から適切な情報を得ることができない場合がある。
【０００３】
近年においては、衛星放送受信システムにおけるパラボラアンテナ装置の小形化が促進されたことに伴い、反射板もまた小型化されている。このような小型のパラボラアンテナ装置の回線マージンは、１〜２ｄＢ程度ときわめてわずかな回線マージンになっていることが多い。このように、小型のパラボラアンテナ装置における回線マージンの狭小化は、パラボラアンテナ装置の設置箇所における外部環境により受信電波の品質に多大な影響を与える。
【０００４】
具体的には、反射板に１５ｃｍ程度の積雪があると、パラボラアンテナ装置の回線マージンに５〜６ｄＢの減衰が生じることがあるとされている。このようなパラボラアンテナ装置の回線マージンが減衰した状態においては、衛星放送を視聴することがきわめて困難になり不都合である。また、降雨により反射板表面に水膜が形成された場合であっても、反射板への着雪や積雪時と同様に、パラボラアンテナ装置の回線マージンの減衰が生じることも知られている。
このようにパラボラアンテナ装置に対しては、天候条件にかかわらず、通信衛星や放送衛星からの電波受信状態を一定の受信状態に維持することを可能にするための解決策の提案が強く望まれていた。
【０００５】
このような着雪による受信電波の減衰や電波の受信不能状態を未然に防止するために、従来のパラボラアンテナ装置では、反射板の背面（裏面）に融雪ヒータを配設し、気象状況に応じて選択的に融雪ヒータを駆動して反射板への着雪を防止したり、温度センサを用いて反射板に配設した融雪ヒータを駆動する構成を付加することが主な解決手段であった（特許文献１）。
【先行技術文献】
【特許文献】
【０００６】
【特許文献１】特開２００３−２５８５１５号公報
【発明の概要】
【発明が解決しようとする課題】
【０００７】
特許文献１で開示されているような従来のパラボラアンテナ装置の構成では、融雪ヒータによって反射板の反射面に着雪した雪を融雪する場合に、融雪時間の遅れや融雪ヒーターの誤動作が起こり易く、信頼性の高い反射板の融雪処理が困難であるという課題がある。
また、反射板の融雪処理をするための手段として電気式ヒータを用いていることから、冬期間におけるパラボラアンテナ装置における電力消費量が嵩むうえに、設備が複雑となり、パラボラアンテナ装置が非常に高価となるという課題もある。特に、通信衛星あるいは放送衛星からの電波を受信する一般家庭向けのＢＳ、ＣＳ放送受信用のパラボラアンテナ装置にあっては、システム全体の価格高騰と消費電力の高騰は大きな課題となる。
また、このようなヒータ方式では、降雨時におけるパラボラアンテナ装置の反射板表面に形成される水膜に対してはほとんど効果が期待できないものであった。
【課題を解決するための手段】
【０００８】
上記目的を達成するため、本発明は次の構成を備える。
すなわち、パラボラアンテナの反射板に装着して用いられるパラボラアンテナ用着雪着水防止カバーであって、周縁部が反射板の外縁を跨いで反射板の裏面側に折り返された状態で、反射板の反射面の前方を覆って反射板に装着可能なカバー体と、該カバー体の、前記反射面側となる裏面に、前記カバー体が前記反射板に装着された状態において、前記カバー体の上下方向に伸びるようにして取り付けられた複数本のガイド体と、を有することを特徴とするパラボラアンテナ用着雪着水防止カバーである。
【０００９】
また、前記カバー体が前記反射板に装着された状態を正面視した際において、前記ガイド体が左右対称となる配列で前記カバー体に装着されていることを特徴とする。これにより、カバー体の雪や雨水をさらに落下させやすくすることができる。
【００１０】
また、前記ガイド体は、前記カバー体の裏面に形成された袋体の中に、遊動自在に収容されていることを特徴とする。これにより、パラボラアンテナ装置に風が吹いた際に、ガイド体がカバー体を振動させることになり、カバー体の雪や雨水をさらに落下させやすくすることができる。
【００１１】
また、前記ガイド体の幅寸法と前記袋体の内部空間における幅寸法の比率は１：３〜１：７であることを特徴とする。これにより、袋体の内部空間においてガイド体が振動しやすくなり、カバー体の表面における着雪着水の防止およびカバー体に付着した雪および雨水の落下を促進させることができる点で好都合である。
【発明の効果】
【００１２】
本発明にかかるパラボラアンテナ用着雪着水防止カバーによれば、きわめて簡易な構造で着雪および着水によるパラボラアンテナの受信感度の低下を防止することが可能になる。また、ガイド体の構成により反射面の前方を覆うカバー体が風により振動すると共に、カバー体の被覆面が所要範囲ごとに区切られて流下路を形成し、カバー体から流下する雪や水が集められることになる。これにより、カバー体からの雪水の流下がさらに促進されることになり、カバー体表面の雪および・または水の残存を可及的に少なくすることが可能になる。
【図面の簡単な説明】
【００１３】
【図１】本実施形態におけるパラボラアンテナ用着雪着水防止カバーを反射板に装着したパラボラアンテナ装置の正面図である。
【図２】図１中のＡ−Ａ線における断面図である。
【図３】他の実施形態の一例を示す参考正面図である。
【図４】他の実施形態の一例を示す参考正面図である。
【発明を実施するための形態】
【００１４】
図１および図２に示すように、パラボラアンテナ用着雪着水防止カバー１００の取り付け対象であるパラボラアンテナ装置５０は、上空を飛行する通信衛星あるいは放送衛星（いずれも図示せず）からの電波を受信した後に所定方向に電波を反射するパラボラ形状をなす反射板１０と、反射板１０を保持する保持部２０と、保持部２０から反射板１０の反射面（開口側面）１２に延伸するアーム２２に保持され、反射板１０の反射面１２の焦点位置に配設された受信部３０と、を有している。受信部３０が受信した電波は、図示しないテレビ等の出力装置に送信される。このようなパラボラアンテナ装置５０は、保持部２０により任意の取付位置に取り付けられる。保持部２０は、反射面１２の仰角を任意角度に調整可能な仰角調整部２４を備えている。
【００１５】
本実施形態におけるパラボラアンテナ用着雪着水防止カバー１００は、撥水性を備えた布帛により形成されたカバー体１１０と、カバー体１１０の片側面に取り付けられたガイド体１２０と、袋体１３０とを有している。
カバー体１１０には、反射板１０の反射面１２から所要間隔をあけた前方位置を被覆する被覆面１１２と、反射板１０の外縁を跨ぎ、反射板１０の裏面１４に折り返された状態で反射板１０にカバー体１１０を固定するための折り返し部１１４とが形成されている。反射板１０の外縁を反射板１０の反射面側から裏面側に跨いでいる折り返し部１１４は、カバー体１１０の外縁部分（反射板１０の外縁からはみ出す部分）が所要範囲に折り曲げられて縫製された筒状部１１６と、筒状部１１６内の内部空間に挿通される紐や弾性部材等の締結具１１８とを有している。
【００１６】
カバー体１１０は、反射板１０の反射面１２から裏面１４に回り込ませた折り返し部１１４の締結具１１８を締め付けることにより、カバー体１１０が反射板１０に固定されると共に、反射面１２における開口端縁位置に平坦な被覆面１１２を形成することができる。また、カバー体１１０の被覆面１１２において裏面側となる反射面１２側には、ガイド体１２０を収容するための袋体１３０が配設されている。袋体１３０は、被覆面１１２の上下方向に伸びる状態でカバー体１１０に取り付けられている。ガイド体１２０は、袋体１３０内に遊動自在な状態で被覆面１１２の上下方向に沿った状態で収容されている。
【００１７】
カバー体１１０および袋体１３０を構成する布帛としての薄地の高密度織物には、例えば、東レ株式会社の製品名「キューダスＸＲ（登録商標）」や、帝人ファイバー株式会社の製品名「ツインバリア（登録商標）」等の撥水性を有する高密度織物から選択することができる。これらの高密度織物は、経糸および／または緯糸が捲縮糸で、単糸繊度が１デニール以下でかつ、総繊度が６０〜１２０デニールである糸条で構成されていて、薄地でありながらきわめて高い防水性を有している。
また、高密度織物に撥水処理を施すことにより、接触角が少なくとも１１０°以上の撥水性を有している。また、このような高密度織物は撥水性の経時的変化が少なく、長期にわたる屋外環境に耐える特性を有している。
【００１８】
カバー体１１０および袋体１３０に前述のような薄地の布帛を適用することにより、微風時においても反射板１０に装着したカバー体１１０および袋体１３０を振動させることができる。このようなカバー体１１０の振動により、カバー体１１０の被覆面１１２に雪や雨等による水滴が付着したとしても容易に落下させることができる。また、カバー体１１０に風が吹き付けられてカバー体１１０および袋体１３０が振動すると、袋体１３０の内部空間に収容されているガイド体１２０も振動させることができる。このようにガイド体１２０が振動することにより、カバー体１１０（被覆面１１２）に衝撃が与えられることにもなり、カバー体１１０の被覆面１１２に付着した雪や水滴をより確実に落下させることができる。ガイド体１２０は先述にもあるように、袋体１３０の内部空間内で遊動自在に収容されているから、わずかな振動によってもガイド体１２０が動くことになり、被覆面１１２に振動が付与されて好都合である。
【００１９】
ところで、反射板１０の仰角は、通常の場合、地表面（水平面）に対して３０°〜６５°に設置することがほとんどである。すなわち、地表面と被覆面１１２の裏面側までの角度が３０°〜６５°となる。よって、地表面から被覆面１１２の表面側までの角度が１１５°以上に設定されることになる。先にも説明したとおり、カバー体１１０に施された撥水加工は接触角度が１１０°以上であるので、反射板１０を通常の状態で配設すれば、カバー体１１０の表面に付着した水滴の接触角度がカバー体１１０の撥水加工における接触角度を上回ることになり、カバー体１１０の被覆面１１２に付着した雪や水を容易に落下させることができる。
【００２０】
ガイド体１２０は、ポリスチレン、ポリエチレン、ポリプロピレン、ポリウレタンのいずれか単数または複数を含む発泡樹脂等により長尺で軽量な棒状体（柱状体や筒状体も含まれている）に形成されている。
ガイド体１２０の幅寸法と袋体１３０の内部空間における幅寸法の比率は、ガイド体１２０が袋体１３０の内部空間内で遊動可能であれば特に限定されるものではない。好ましくは、ガイド体１２０の幅寸法と袋体１３０の内部空間における幅寸法の比率が１：３〜１：７程度であり、より好ましくは１：４〜１：６の幅寸法比率の範囲であり、さらに好ましくは１：５の幅寸法の比率である。
また、ガイド体１２０の長手方向における長さ寸法は、袋体１３０の長手方向における内部空間の長さ寸法よりも短く形成されている。本実施形態における袋体１３０は、カバー体１１０と同じ布帛材料により形成されているが、この布帛材料に限定されるものではない。
このようにして形成された袋体１３０の内部空間においては、ガイド体１２０が任意の方向に移動自在に収容されている。
【００２１】
図１からも明らかなように、ガイド体１２０はカバー体１１０の３か所に配設されている。また、反射板１０に装着された状態のカバー体１１０を正面視した際に、ガイド体１２０はカバー体１１０の被覆面１１２において左右対称の配列で取り付けられている。本実施形態においては、被覆面１１２のほぼ中央位置において配設されたガイド体１２０の軸線に対して左右のガイド体１２０の軸線が傾斜した状態（非平行の状態）で配設されている。
【００２２】
より詳細には、中央位置におけるガイド体１２０と左右のガイド体１２０との離間状態は、被覆面１１２の上方位置よりも下方位置の方が離間距離が長くなる配列（末広がり状態の配列）で配設されている。これにより被覆面１１２は、被覆面１１２に取り付けられたガイド体１２０によって所要範囲に区切られた状態になり、被覆面１１２には雪や水滴が流下する流下路１４０が形成されることになる。このようにして形成された流下路１４０は、下流側の方が流路断面積が大きくなっているから、被覆面１１２からの雪や水滴の流下が促進される点で好都合である。
また、流下路１４０は、雪や水の流下方向と直交方向における断面形状がわずかではあるが放物線形状をなしているので、カバー体１１０(被覆面１１２)の雪や水滴の落下（流下）ルートは、流下路１４０に沿わせることができる。これにより被覆面１１２上の雪や水滴が分離してしまうことがなく、かたまり（フロック）にさせた状態で流下路１４０に沿わせながら落下させることができる点において好都合である。
【００２３】
以上、本願発明にかかるパラボラアンテナ用着雪着水防止カバーについて、実施形態に基づいて具体的に説明したが、本願発明は上記実施形態に限定されるものではなく、その要旨を逸脱しない範囲で種々の改変を施すことができる。例えば、図１に示す形態の他に、図３や図４に示すような実施形態を採用することもできる。
ここで、図３に示す実施形態は、図１の変形例であり、被覆面１１２の中央位置に配設したガイド体１２０と、このガイド体１２０の軸線を対称軸として左右に配設されているガイド体１２０との配列状態が、被覆面１１２の上方位置におけるガイド体１２０どうしの離間距離が被覆面１１２の下方位置におけるガイド体１２０どうしの離間距離よりも長くなっている。このように流下路１４０の下流側をすぼませることにより、流下路１４０を流下する雪や水滴が流下路１４０の側壁部分に衝突しながら流下することになり、雪や水滴の流下速度を低減させることができる。このような実施形態は、大型の反射板１０を有するパラボラアンテナ装置５０において好都合である。
【００２４】
また、図４に示す状態は、ガイド体１２０の軸線どうしがすべて平行になる配列で被覆面１１２に取り付けた実施形態である。ガイド体１２０の配設による被覆面１１２への振動付与だけであっても落雪の促進は十分に可能である。
この他にも特に図示はしないが、ガイド体１２０は、必ずしも被覆面１１２の左右方向における中心位置に配設されていなくてもよいし、袋体１３０に収容された状態でなく、被覆面１１２の裏面側（反射板１０の反射面側）に直接取り付けた形態を採用することも可能である。
【００２５】
さらに本実施形態においては、カバー体１１０を取り付ける反射板１０の反射面が凹状表面に形成されているが、反射板１０の表面がハードカバー等により平坦面形成されている反射板１０であっても、本願発明を適用することができるのはもちろんである。このように反射面がハードカバーされた反射板１０の場合、カバー体１１０を反射板１０に装着した際に、反射面１２とカバー体１１０との間に隙間を形成することができるように、カバー体１１０の裏面側（ガイド体１２０が取り付けられている面側）に図示しないスペーサを配設すればよい。このスペーサはカバー体１１０側および反射板１０側のいずれに取り付けしてもよい。また、スペーサの部材厚さ（高さ）は、ガイド体１２０の部材厚さ（高さ）よりも厚く（高く）しておくことが必要である。
【００２６】
さらにまた、カバー体１１０および袋体１３０を構成する布帛として具体的な商品名を例示しているが、カバー体１１０および袋体１３０を構成する布帛は、実施形態に例示した布帛に限定されるものではなく、他の撥水性を備えた布帛により構成されていてもよい。
さらには、被覆面１１２にガイド体１２０を取り付けることにより被覆面１１２の固有振動数を適宜調整することもできる。被覆面１１２の固有振動数をパラボラアンテナ用着雪着水防止カバー１００の設置地域における平均風速に適合させておけば、カバー体１１０への着雪着水を防止するうえで好適である。
【符号の説明】
【００２７】
１０  反射板
１２  反射面
１４  裏面
２０  保持部
２２  アーム
２４  仰角調整部
３０  受信部
５０  パラボラアンテナ装置
１００  パラボラアンテナ用着雪着水カバー
１１０  カバー体
１１２  被覆面
１１４  折り返し部
１１６  筒状部
１１８  締結具
１２０  ガイド体
１３０  袋体
１４０  流下路
【図１】
2012070273.tif 000003
【図２】
2012070273.tif 000004
【図３】
2012070273.tif 000005
【図４】
2012070273.tif 000006